(57)【要約】【課題】収納された物が落ち難く、且つ、取り出し易い胸ポケットを提供することを課題とする。【解決手段】補強布２７はポケット表布２２に縫いつけられ、ポケット表布２２はポケット連結布２３に縫いつけられ、連結布１４は被服１０に縫いつけられている。また、連結布１４は、ふいごのように折りたたみ自在なアコーディオンプリーツと呼ばれる折襞３２、３２を有している。これらの折襞３２、３２を拡げると、胸ポケット２０の開口部２６より底部３３の幅が大きい。底部３３が拡がったときに、被服１０とポケット表布２２とのなす末広がり角度θが２０°〜３０°の範囲になるように底部３３の幅が設定されている。【効果】人が屈んで被服が水平より下向きに傾いても、底部がポケットの開口部よりも幅広となり、ポケット表布及び収納物の傾きを抑制するので、胸ポケットから収納物が落下することを抑止できる。【選択図】図２
2010111975.tif 000002
【特許請求の範囲】
【請求項１】
ポケットの表面を構成するポケット表布と、このポケット表布を被服に連結するポケット連結布とからなる胸ポケットにおいて、
前記ポケット連結布は、矩形の底部と、この底部両端から各々突出し、先端に向かって幅狭となる三角形状又は台形状の側部とからなり、前記底部の中央及び側部の中央に谷折り線を有していることを特徴とする胸ポケット。
【請求項２】
前記底部が拡がったときに、前記被服と前記ポケット表布とのなす、末広がり角度が２０°〜３０°の範囲になるように前記底部の幅が設定されていることを特徴とする請求項１記載の胸ポケット。
【請求項３】
前記底部は、前記被服側の連結位置が前記ポケット表布の底辺よりも上方になるように設けられていることを特徴とする請求項１又は請求項２記載の胸ポケット。
【発明の詳細な説明】
【技術分野】
【０００１】
本発明は、胸ポケットの改良に関するものである。
【背景技術】
【０００２】
前屈み姿勢でも物が落下し難い胸ポケットが提案されている（例えば、特許文献１参照。）。
【特許文献１】特許第４１１６２８０号公報（図３）
【０００３】
特許文献１を次図に基づいて説明する。
図１５は従来の技術の基本構成を説明する図であり、ポケット１００は、被服１０１に設けられている開口部１０２と、この開口部１０２から入れられた物を収納する袋体１０３と、この袋体１０３に収納されている物が外部に滑り出すのを抑止する滑り止め部材１０４、１０４とからなる。
【０００４】
滑り止め部材１０４、１０４があることで、ポケット１００から物が滑り出すのをある程度は防ぐことができる。
しかし、体を起こした通常の姿勢で、ポケット１００に収納されている物を取り出すときも、滑り止め部材１０４、１０４により抵抗を受け、物が取り出し難くなる。すなわち、収納物を取り出し易い胸ポケットが求められている。
【発明の開示】
【発明が解決しようとする課題】
【０００５】
本発明は、収納された物が落ち難く、且つ、取り出し易い胸ポケットを提供することを課題とする。
【課題を解決するための手段】
【０００６】
請求項１に係る発明は、ポケットの表面を構成するポケット表布と、このポケット表布を被服に連結するポケット連結布とからなる胸ポケットにおいて、前記ポケット連結布は、矩形の底部と、この底部両端から各々突出し、先端に向かって幅狭となる三角形状又は台形状の側部とからなり、前記底部の中央及び側部の中央に谷折り線を有していることを特徴とする。
【０００７】
請求項２に係る発明は、底部が拡がったときに、被服とポケット表布とのなす、末広がり角度が２０°〜３０°の範囲になるように底部の幅が設定されていることを特徴とする。
【０００８】
請求項３に係る発明は、底部は、被服側の連結位置がポケット表布の底辺よりも上方になるように設けられていることを特徴とする。
【発明の効果】
【０００９】
請求項１に係る発明では、ポケット連結布は、矩形の底部と、この底部両端から各々突出し、先端に向かって幅狭となる三角形状又は台形状の側部とからなり、底部の中央及び側部の中央に谷折り線を有している。人が前屈み姿勢になっても、底部がポケットの開口部よりも幅広となり、ポケット表布及び収納物の傾きを抑制するので、胸ポケットから収納物が落下することを抑止できる。
加えて、開口部には何も障害物がないので、収納された物の取り出しが容易である。
【００１０】
請求項２に係る発明では、底部が拡がったときに、被服とポケット表布とのなす、末広がり角度が２０°〜３０°の範囲になるように底部の幅が設定されている。２０°未満では、収納物の飛び出そうとする力が、飛び出しを押さえる力より大きくなるので、収納物が出易くなる。３０°超では、底部が広がりすぎて、ポケットが被服にぶら下がり、作業者の邪魔になる。
【００１１】
被服とポケット表布とのなす末広がり角度が２０°〜３０°の範囲にすると、人が屈んで水平より下向きになる日常動作の範囲で、収納物の落下を抑止できる。
加えて、底部の幅の拡がりを一定に抑えるので、胸ポケットが必要以上に揺れて動作の邪魔になることがない。
【００１２】
請求項３に係る発明では、底部は、被服側の連結位置がポケット表布の底辺よりも上方になるように設けられている。前屈みになり底部が広がったとき、収納物が底部の折襞に引っ掛かることなくポケット表布に落ちるので、収納物の傾きをポケット表布と同一にすることができる。
加えて、胸ポケットに物を入れても、収納物により底部が胸ポケット表布の底辺より下側にはみ出すことを防止できる。
【発明を実施するための最良の形態】
【００１３】
本発明を実施するための最良の形態を添付図に基づいて以下に説明する。なお、図面は符号の向きに見るものとする。
図１は本発明に係る胸ポケットを備えた被服の正面図であり、被服１０の胸部１１に胸ポケット２０が備えられている。
胸ポケット２０は、ポケットの表面２１を構成するポケット表布２２と、このポケット表布２２を被服１０に連結するポケット連結布２３（詳細後述）とからなる。
【００１４】
ポケット連結布２３は、胸ポケット２０の内側に折り込まれており、通常、ポケット表布２２の底辺２４及び側辺２５、２５より外側にはみ出すことはない。
また、ポケット表布２２の上部には開口部２６を補強する補強布２７が設けられている。この結果、胸ポケット２０の開口部２６のたるみを防止することができる。
【００１５】
図２は図１の２−２線断面図であり、補強布２７は糸３１を介してポケット表布２２に縫いつけられ、ポケット表布は糸３１を介してポケット連結布２３に縫いつけられ、ポケット連結布２３は糸３１を介して被服１０に縫いつけられている。
また、ポケット連結布２３は、ふいごのように折りたたみ自在なアコーディオンプリーツと呼ばれる折襞３２、３２を有している。これらの折襞３２、３２を拡げると、胸ポケット２０の開口部２６の幅より底部３３の幅が大きくなる。底部３３が拡がったときに、被服１０とポケット表布２２とのなす末広がり角度θが２０°〜３０°の範囲になるように底部３３の幅が設定されている。
【００１６】
図３はポケット連結布の展開図であり、ポケット連結布２３は矩形の底部３３と、この底部３３の両端から各々突出し、先端に向かって幅狭となる三角形状又は台形状の側部３４、３４とからなり、底部３３の中央及び側部３４、３４の中央に谷折り線３５、３５、３５を有している。その他、符号３６、３６、３６、３６は谷折り線であり、符号３７、３７及び３８、３８は山折り線である。Ｗは幅である。
【００１７】
図４はポケット連結布の折り曲げ工程を説明する図であり、ポケット連結布２３を、矢印（１）、（１）のように、山折り線３７、３７から折り曲げる。すると、底部３３の両端から側部３４、３４が立ち上がった形状となる。
【００１８】
図５はポケット連結布の折襞作成工程を説明する図であり、ポケット連結布２３を、矢印（２）、（２）、（２）のように、谷折り線３５、３５、３５から折り曲げる。すると、底部３３及び側部３４、３４に折襞３２が作成される。
【００１９】
図６は胸ポケットの分解斜視図であり、補強布２７はポケット表布２２の上部に縫いつけられ、ポケット表布２２はポケット連結布２３の図手前側に縫いつけられ、ポケット連結布２３の図奥側は被服１０に縫いつけられている。
ただし、ポケット表布２２の上部４１、４１は、ポケット連結布２３と共に被服１０に縫いつけられる。開口部２６においては、側部３４が拡がることがない。これにより、胸ポケット２０の開口部２６を基線にしてポケット表布２２が前方に揺動し、被服１０とポケット表布２２とのなす末広がり角度を設けることができる。
【００２０】
なお、ポケット表布２２を被服１０に縫いつけず、開口部２６において側部３４が拡がる場合であっても、開口部２６付近より底部３３の拡がる幅が大きく、被服１０とポケット表布２２とのなす末広がり角度を設けることができれば、問題はない。
【００２１】
以上に述べた胸ポケットの作用を次に述べる。
図７は作業者が屈んだときの胸ポケットの形状変化を説明する図であり、作業者４２が矢印（３）のように、鉛直線４３からの角度がαとなるように前に屈むと、胸ポケット２０の底部３３は、矢印（４）のように拡がり、被服１０とポケット表布２２とのなす末広がり角度がθとなる。なお、鉛直線４３は、水平面４４に直交する線を指す。符号４５は、水平線を指す。
【００２２】
ここで、前屈角度αと、末広がり角度θについて検討する。
本発明者らが調査したところ、作業者の日常的動作における前屈角度αは次表に示す通りであった。
【００２３】
【表１】
2010111975.tif 000003
【００２４】
すなわち、日常の動作では最大の前屈角度を１２０°に設定する必要がある。
図８は基礎資料を得るために準備した、従来の胸ポケットの作用図であり、従来の胸ボケット１１０に、収納物１１１を収納した状態で、角度α（例えば９０°）作業者が前屈した。胸ポケット１１０の開口が僅かに広がり、収納物１１１が落ちやすくなる。一方、収納物１１１と胸ポケット１１０との間に摩擦力が発生し、この摩擦力が落下を抑制する。
【００２５】
本発明者らが調べたところでは、被覆１１２と胸ポケット１１０とのなす、広がり角度βが１０°程度で落下作用と落下抑制作用がバランスした。
すなわち、前屈角度α９０°に、広がり角度β１０°を加え角度（α＋β）が１００°までは、収納物１１１が落下しない。しかし、上記表１で示されるように、前屈角度αを１２０°とすると、角度（α＋β）が１３０°となり、収納物１１１は落下する。
【００２６】
図９は本発明に係る胸ポケットの作用図であり、図７の要部を転記した図である。鉛直線４３とポケット表布２２とのなす角度は、図から明らかように（α−θ）となる。図８の調査から、この角度（α−θ）が、１００°以下であれば、収納物４６は落下しない。
【００２７】
（α−θ）≦１００°の式から、θ≧α−１００°を導く。表１から角度αは１２０°を見込む。すると、θ≧１２０°−１００°から、θ≧２０°となる。
すなわち、日常作業中に収納物の落下を良好に抑制するには、末広がり角θは２０°以上にする必要があることが判明した。
【００２８】
一方、図７から明らかなように、θを増加すると、底部３３の幅が増加し、胸ポケット２０がだらしなくなる。すなわち、外観性が低下する。そこで、末広がり角θは３０°に留めることにした。
【００２９】
図１０は図３の別実施例に係るポケット連結布の展開図であり、図３と同様に構成されている部分は、符号を流用して詳細な説明は省略する。
別実施例のポケット連結布５０は、矩形の底部３３と、この底部３３の両端から各々突出し、先端に向かって幅狭となる台形状の側部３４、３４とからなる。側部３４、３４は、ポケット表布２２（図１を参照。）側に連結される表布側の辺５１、５１と、被服１０側に連結される被服側の辺５２、５２とを有する。表布側の辺５１、５１は被服側の辺５２、５２よりも長くなるよう設定されている。
また、底部３３の谷折り線３５から表布までの表布側の幅Ａは、谷折り線３５から被服までの被服側までの幅Ｂより幅広に設定されている。
なお、側部は台形状に限らず、底部３３の両端から各々突出し、先端に向かって幅狭となっていれば三角形状であってもよい。
【００３０】
図１１は図２の別実施例に係る胸ポケットの断面図であり、底部３３は、被服側の連結位置５３がポケット表布２２の底辺２４よりも上方になるように設けられている。
【００３１】
以上に述べた別実施例の胸ポケットの作用を次に述べる。
図１２は別実施例の胸ポケットの作用を説明する図であり、（ａ）に示す比較例では、矢印（５）のように、胸ポケット１１５に収納物１１６を入れると、矢印（６）のように、底部１１７が押し下げられる。すると、（ｂ）に示すように、ポケット表布１１８の底辺１１９より下方に底部１１７がはみ出してしまう。
【００３２】
一方、（ｃ）に示す別実施例では、矢印（７）のように、胸ポケット２０に収納物４６を入れると、矢印（８）のように、底部３３が押し下げられる。すると、（ｄ）に示すように、収納物４６は、胸ポケット２０の前方であるポケット表布２２側に移動される。この結果、ポケット表布２２の底辺２４より下方に底部３３がはみ出さない。
【００３３】
図１３は前屈みになったときの別実施例の胸ポケットの作用を説明する図であり、（ａ）に示す比較例では、作業者が前屈みになり底部１１７が広がったとき、矢印（９）のように、収納物１１６が底部１１７の折襞１２１に引っ掛かかることがある。この結果、収納物１１６の傾きがポケット表布１１８と同一にならない。
【００３４】
一方、（ｂ）に示す別実施例では、作業者が前屈みになり２３底部が広がったとき、矢印（１０）のように、収納物４６が底部３３の折襞３２に引っ掛かることなくポケット表布２２に落ちるので、収納物４６の傾きをポケット表布２２と同一になる。この結果、収納物４６が胸ポケット２０から落ち難くなる。
【００３５】
図１４は本発明に係る胸ポケットの作用例を説明する図であり、（ａ）に示す比較例では、図８で述べた比較例と同じものであり、作業者が前屈みになったときに胸ポケット１１０が大きく傾き、矢印（１１）のように、収納物１１１が落ちる。
この対策とされた（ｂ）に示す別比較例では、胸ポケット１２５は、被服１２６に揺動自在に設けられている揺動布１２７と、この揺動布１２７に設けられている表布１２８とからなる。作業者が前屈みになると、胸ポケット１２５は、揺動布１２７の上部を基線にして揺動する。この結果、収納物１２９は落下しない。しかし、矢印（１２）のように、胸ポケット１２５が揺動するので、作業者の作業の妨げとなる場合がある。
【００３６】
（ｃ）に示す実施例では、前述したように、作業者が前屈みになると、矢印（１３）のように、底部３３が拡がる。しかし、底部３３によりポケット表布２２の動きが制限されるので、必要以上に胸ポケット２０が動くことがなく、作業者の作業の妨げとならない。
【００３７】
尚、本発明に係る胸ポケットは、実施の形態ではポケット表布２２の上部４１、４１は、ポケット連結布２３、５０と共に被服１０に縫いつけられているが、ポケット表布２２の上部４１、４１は、ポケット連結布２３と共に被服１０に縫いつけられておらず、ポケット連結布２３、５０の側部３４、３４の上端部が拡がる形であっても、被服１０とポケット表布２２とのなす末広がり角度が２０°〜３０°の範囲になるように底部３３の幅が設定されてあれば差し支えない。
【産業上の利用可能性】
【００３８】
本発明のポケットは、被服の胸ポケットに好適である。
【図面の簡単な説明】
【００３９】
【図１】本発明に係る胸ポケットを備えた被服の正面図である。
【図２】図１の２−２線断面図である。
【図３】ポケット連結布の展開図である。
【図４】ポケット連結布の折り曲げ工程を説明する図である。
【図５】ポケット連結布の折襞作成工程を説明する図である。
【図６】胸ポケットの分解斜視図である。
【図７】作業者が屈んだときの胸ポケットの形状変化を説明する図である。
【図８】基礎資料を得るために準備した、従来の胸ポケットの作用図である。
【図９】本発明に係る胸ポケットの作用図である。
【図１０】図３の別実施例に係るポケット連結布の展開図である。
【図１１】図２の別実施例に係る胸ポケットの断面図である。
【図１２】別実施例の胸ポケットの作用を説明する図である。
【図１３】前屈みになったときの別実施例の胸ポケットの作用を説明する図である。
【図１４】本発明に係る胸ポケットの作用例を説明する図である。
【図１５】従来の技術の基本構成を説明する図である。
【符号の説明】
【００４０】
１０…被服、２０…胸ポケット、２１…ポケットの表面、２２…ポケット表布、２３…ポケット連結布、２４…ポケット表布の底辺、３２…折襞（アコーディオンプリーツ）、３３…底部、３４…側部、３５…谷折り線、５３…被服側の連結位置、α…前屈角度、θ…末広がり角度、Ｗ…幅。
【図１】
2010111975.tif 000004
【図２】
2010111975.tif 000005
【図３】
2010111975.tif 000006
【図４】
2010111975.tif 000007
【図５】
2010111975.tif 000008
【図６】
2010111975.tif 000009
【図７】
2010111975.tif 000010
【図８】
2010111975.tif 000011
【図９】
2010111975.tif 000012
【図１０】
2010111975.tif 000013
【図１１】
2010111975.tif 000014
【図１２】
2010111975.tif 000015
【図１３】
2010111975.tif 000016
【図１４】
2010111975.tif 000017
【図１５】
2010111975.tif 000018